(57)【要約】【課題】  キャビネットの平面状の縦内壁面の部分に予め補強リブ及びボス部を形成し、用途応じて、ボス部に操作ボタンなどの部品や装置を後付けできるように補強構造としてのボス部を部品を取り付けるための取付構造として兼用することが可能な補強兼取付構造を備えたテレビジョン受像機を提供する。【解決手段】  テレビジョン受像機１の外形を形成するキャビネットの平面状の縦内壁面１０に一体に補強リブ１１とこの補強リブ１１を更に補強するボス部１２を形成する。ボス部１２に操作ボタン２０を後付け可能となるように取付孔１２Ａを形成し、操作ボタン２０をキャビネットに取り付けない時は、ボス部１２及び補強リブ１１をキャビネットの補強構造とし、操作ボタン２０をキャビネットに取り付ける時は、ボス部１２を操作ボタン２０を取り付けるための取付構造とする。これにより、汎用性に優れた補強兼取付構造を備えたテレビジョン受像機１を提供することができる。【選択図】      図４
2005268868.tif 000002
【特許請求の範囲】
【請求項１】
テレビジョン受像機の外形を形成するキャビネットの平面状の縦内壁面に一体に形成される凸状の補強リブを備えたテレビジョン受像機において、前記補強リブと一体に前記縦内壁面から突設されると共に前記補強リブを補強する円柱型のボス部を形成し、このボス部に前記テレビジョン受像機に設けられる部品を取り付け可能に取付孔を形成し、前記部品を前記キャビネットに取り付けない時は、前記ボス部及び前記補強リブを前記キャビネットの補強構造とし、前記部品を前記キャビネットに取り付ける時は、前記ボス部を前記部品を取り付けるための取付構造として兼用する補強兼取付構造を備えたテレビジョン受像機。
【請求項２】
前記部品は、前記ボス部の前記取付孔に取り付けられると共に前記キャビネットに形成された開口部に一端が挿通された前記テレビジョン受像機の各種操作を可能とする操作ボタンであることを特徴とする請求項１記載の補強兼取付構造を備えたテレビジョン受像機。
【請求項３】
前記操作ボタンは、前記ボス部に形成された前記取付孔に、ネジをねじ込んで取り付けられたことを特徴とする請求項２記載の補強兼取付構造を備えたテレビジョン受像機。
【請求項４】
前記キャビネットは、フロントキャビネットとリアキャビネットからなり、前記フロントキャビネットに画像表示装置を設けると共に、前記ボス部と前記補強リブとを前記フロントキャビネットに一体に形成したことを特徴とする請求項１〜３記載の何れか１項に記載の補強兼取付構造を備えたテレビジョン受像機。
【発明の詳細な説明】
【技術分野】
【０００１】
本発明は、画像表示装置などを具備したテレビジョン受像機に係り、特に、このテレビジョン受像機のキャビネット内壁面に形成された補強リブやボス部などを兼用し、用途に応じて、これらに各種部品などを取り付け可能とする補強兼取付構造を備えたテレビジョン受像機に関する。
【背景技術】
【０００２】
近年のテレビジョン受像機は、消費者の要望としてＤＶＤ（Ｄｉｇｉｔａｌ  Ｖｉｄｅｏ  Ｄｉｓｃ）又はＣＤ（Ｃｏｍｐａｃｔ  Ｄｉｓｃ）等の光ディスクなどの記録媒体を記録再生可能な多機能を有するテレビジョン受像機が望まれている。このような消費者の要望に対し、複合機能を有するテレビジョン受像機が消費者に提供されてはいるものの、その一方で、テレビジョン受像機の外観上のコンパクト化についても、消費者からの要望がある。
【０００３】
図８は、従来から用いられているフロントキャビネット１０２とリアキャビネットから外形を形成するテレビジョン受像機１０１のフロントキャビネット１０２の背面図である。このようなテレビジョン受像機１０１においては、図８の一点鎖線の楕円内に示すように、フロントキャビネットの縦内壁面１０に何も無い部分が存在している場合、フロントキャビネットの縦内壁面全体に亘って補強リブが形成されているものに比べ、強度的に弱くなってしまう。また、例えば、自動車などによりこのような何も無い部分が存在しているフロントキャビネット１０２を有するテレビジョン受像機１０１を搬送する際、自動車の走行に伴う衝撃や振動、さらには、フロントキャビネット１０２に取り付けられた陰極線管や液晶表示装置などのテレビジョン受像機１０１を構成する装置な部品の中で相対的に重量の重い画像表示装置が、キャビネットに取り付けられているテレビジョン受像機１０１においては、その重さ及び搬送時の振動などにより、フロントキャビネット１０２などに歪みやズレが生じてしまうことがある。ところで、既存のテレビジョン受像機１０１のキャビネットに立設させている縦内壁面１１０に各種部品や装置を新たに取り付ける際には、これらを取り付けるための取付手段がテレビジョン受像機１０１のフロントキャビネット１０２などに予め形成されていない為、各種部品などを取り付けるために、コア側金型に入れ子を設けるなどして、新たに、キャビネットの成形を行う必要があった。また、特許文献１には、テレビジョン受像機の筐体であるキャビネットの内面にリブを一体に形成し、テレビジョン受像機の操作部に配置される押しボタンの取付構造が開示されている。
【０００４】
【特許文献１】特開２０００−２９９５６７号公報
【発明の開示】
【発明が解決しようとする課題】
【０００５】
しかし、上記背景技術においては、新たに、操作ボタン、或いは固定磁気ディスク装置（ｈａｒｄ  ｄｉｓｋ  ｄｒｉｖｅ）などの部品や装置を、テレビジョン受像機の底部に対して、単に、載置するのではなく、テレビジョン受像機のキャビネットの立設した縦内壁面に取り付ける際には、フロントキャビネットに新たに何らかの取付手段を形成する必要性があり、このような取付手段をキャビネットの縦内壁面に形成するとなると、それに対応させた設計変更に伴う金型作成費用が多額になることから、新たに設計し直すとコストが掛かり製造コストの低コスト化を図ることができなかった。
【０００６】
本発明は上記課題を鑑みてなされたものであり、テレビジョン受像機のキャビネットの立設した縦内壁面の何も無い平面状の部分に予め補強リブ及びボス部を形成しておき、ボス部に補強構造としての機能のみではなく、用途応じて、このボス部に操作ボタンなどの部品や装置を後付けできるように取付構造として兼用することが可能な補強兼取付構造を備えたテレビジョン受像機を提供することを目的とする。
【課題を解決するための手段】
【０００７】
請求項１に係る補強兼取付構造を備えたテレビジョン受像機は、テレビジョン受像機の外形を形成するキャビネットの平面状の縦内壁面に一体に形成される凸状の補強リブを備えたテレビジョン受像機において、前記補強リブと一体に前記縦内壁面から突設されると共に前記補強リブを補強する円柱型のボス部を形成し、このボス部に前記テレビジョン受像機に設けられる部品を取り付け可能に取付孔を形成し、前記部品を前記キャビネットに取り付けない時は、前記ボス部及び前記補強リブを前記キャビネットの補強構造とし、前記部品を前記キャビネットに取り付ける時は、前記ボス部を前記部品を取り付けるための取付構造とすることを特徴とする。
【０００８】
請求項１の構成によれば、キャビネットの縦内壁面に補強リブとこれをさらに補強する円柱型のボス部を設けたので、例えば、テレビジョン受像機の自動車による搬送時、或いは、テレビジョン受像機を誤って地面に落下させた際に、キャビネットが撓んで、破損したり歪むことを防止することができる。一方、テレビジョン受像機内に、新たに部品や装置などを取り付ける必要が生じた際には、補強リブをさらに補強するために形成されているボス部に取付孔を形成しているから、この取付孔に部品を取り付けることができるので、テレビジョン受像機に新たに部品などを取り付ける必要が生じても、キャビネットの縦内壁面に、部品を取り付けることができる。さらに、新たにキャビネットの縦内壁面に部品を取り付ける必要が生じた際、従来の方法のように、キャビネットの縦内壁面に新たにボス部などの取付手段を一体に成形されたキャビネットを新たに成形するなどして用意しなくても、取付孔１２Ａの形成されたボス部１２を、操作ボタン２０などの部品を取り付けるために用いられる取付構造として用いることができるので、汎用性に優れた補強兼取付構造を備えたテレビジョン受像機を提供することができる。
【０００９】
請求項２に係る補強兼取付構造を備えたテレビジョン受像機は、請求項１記載の補強兼取付構造を備えたテレビジョン受像機において、前記部品は、前記ボス部の取付孔に取り付けられると共に前記キャビネットに形成された開口部に一端が挿通された前記テレビジョン受像機の各種操作を可能とする操作ボタンであることを特徴とする。
【００１０】
請求項２の構成によれば、テレビジョン受像機に新たに操作ボタンを取り付けることが必要となった際、この操作ボタンをキャビネットの縦内壁面に形成されたボス部の取付孔に対し、係合したり、或いは、ネジなどの取付手段を取付孔にねじ込むなどして取付孔に操作ボタンを取り付けることができ、さらに、この操作ボタンは、キャビネットに形成された開口部に一端が挿通されているので、テレビジョン受像機の使用者は、テレビジョン受像機の操作を、外方から容易に行うことができる。
【００１１】
請求項３に係る補強兼取付構造を備えたテレビジョン受像機は、請求項２記載の補強兼取付構造を備えたテレビジョン受像機において、前記操作ボタンは、前記ボス部に形成された前記取付孔に、ネジをねじ込んで取り付けられたことを特徴とする。
【００１２】
請求項３の構成によれば、汎用性のある取り付けの容易なネジを用いることにより、取付孔に対し操作ボタンをネジのねじ込みにより容易取り付けることができるので、取付作業を効率的に行うことができる。
【００１３】
請求項４に係る補強兼取付構造を備えたテレビジョン受像機は、請求項１〜３記載の何れか１項に記載の補強兼取付構造を備えたテレビジョン受像機において、前記キャビネットは、フロントキャビネットとリアキャビネットからなり、前記フロントキャビネットに画像表示装置を設けると共に、前記ボス部と前記補強リブとを前記フロントキャビネットに一体に形成したことを特徴とする。
【００１４】
請求項４の構成によれば、画像表示装置は、テレビジョン受像機を構成する部品や装置の内、主要な装置であると共に相対的に比較的重量の重いものである。このような重量の重い画像表示装置をフロントキャビネットに設けた際、フロントキャビネットに対し大きな荷重が加わる。このような状態において、フロントキャビネットの縦内壁面に一般的な補強リブに加え、さらに、この補強リブを補強するボス部を形成していることから、フロントキャビネットに画像表示装置を設けた際に生じる、荷重に伴うフロントキャビネットの歪みを軽減することができる。
【発明の効果】
【００１５】
請求項１に係る補強兼取付構造を備えたテレビジョン受像機の発明によれば、テレビジョン受像機の外形を形成するキャビネットの平面状の縦内壁面に一体に形成される凸状の補強リブを備えたテレビジョン受像機において、前記補強リブと一体に前記縦内壁面から突設されると共に前記補強リブを補強する円柱型のボス部を形成し、このボス部に前記テレビジョン受像機に設けられる部品を取り付け可能に取付孔を形成し、前記部品を前記キャビネットに取り付けない時は、前記ボス部及び前記補強リブを前記キャビネットの補強構造とし、前記部品を前記キャビネットに取り付ける時は、前記ボス部を前記部品を取り付けるための取付構造としたものであり、キャビネットに対し外部から衝撃や荷重が加えられても、キャビネットが撓んで、歪むことを防止することができる。また、予め成形されているキャビネットの補強構造としての補強リブをさらにボス部により補強すると共に、このボス部に形成されている取付孔に、用途に応じて部品を取り付けることができる取付構造として兼用して用いることができるので、汎用性に優れた補強兼取付構造を備えたテレビジョン受像機を提供することができる。
【００１６】
請求項２に係る補強兼取付構造を備えたテレビジョン受像機の発明によれば、請求項１において、前記部品は、前記ボス部の取付孔に取り付けられると共に前記キャビネットに形成された開口部に一端が挿通された前記テレビジョン受像機の各種操作を可能とする操作ボタンであり、テレビジョン受像機に新たに操作ボタンなどの部品や装置を取り付けることが必要となった場合があっても、取付孔に操作ボタンを取り付けることができる。しかも、この操作ボタンは、キャビネットに形成された開口部に一端が挿通されているので、テレビジョン受像機の使用者は、テレビジョン受像機の操作を、外方から容易に行うことができるので、操作ボタンの操作を容易に行え、操作性に優れる。
【００１７】
請求項３に係る補強兼取付構造を備えたテレビジョン受像機の発明によれば、請求項２において、前記操作ボタンは、前記ボス部に形成された前記取付孔に、ネジをねじ込んで取り付けられるので、汎用性のあるネジを用いて容易に取り付けを行うことができるので、煩雑な作業をすることなく容易に取付作業を行えるので作業性が向上し、生産効率も向上する。
【００１８】
請求項４の補強兼取付構造を備えたテレビジョン受像機は、請求項１〜３記載の何れか１項において、前記キャビネットは、フロントキャビネットとリアキャビネットからなり、前記フロントキャビネットに画像表示装置を設けると共に、前記ボス部と前記補強リブとを前記フロントキャビネットに一体に形成したものであり、フロントキャビネットに設けられた画像表示装置の荷重が、フロントキャビネットに対し大きく加わったとしても、ボス部と補強リブがフロントキャビネットに一体に形成されているので、フロントキャビネットが破損したり歪むことを回避し、荷重に強く強度的に優れるテレビジョン受像機を提供することができる。
【発明を実施するための最良の形態】
【００１９】
以下、本発明を実施するための最良の形態としての実施例を図１〜図７により以下に説明する。もちろん、本発明は、その発明の趣旨に反しない範囲で、実施例において説明した以外の構成のものに対しても容易に適用可能なことは説明を要するまでもない。
【００２０】
図１は、補強兼取付構造を備えたテレビジョン受像機の正面図である。補強兼取付構造を備えたテレビジョン受像機（以下、テレビジョン受像機と称す。）１は、その外形が合成樹脂製のキャビネットにより形成され、このキャビネットは、前後に分割可能なフロントキャビネット２とリアキャビネット３からなっている。また、フロントキャビネット２の正面側中央には、開口部が形成され、この開口部に画像表示用の画像表示装置５が設けられている。フロントキャビネット２の画像表示装置２の下方には、テレビジョン受像機１の各種操作可能な音量調整などの操作ボタン６が設けられていて、テレビジョン受像機１の底部には、図示しない回路基板、チューナー装置などが載置され取り付けられている。
【００２１】
また、フロントキャビネット２などのキャビネットには、縦方向に立設された平面状の縦内壁面１０に、図４に示すように、操作ボタン２０などの各種部品などが取り付けられる部位を除いて、ほぼ全体に亘って補強リブ１１が一体に形成されている。なお、この補強リブ１１は、フロントキャビネット２の縦内壁面１０から凸状に突設されて形成されていて、この補強リブ１１の全体形状は、図２及び図３に示すように、少なくとも口型形状に形成されていて、口型形状に形成された補強リブ１１からその縦及び横方向にさらに延設部１１Ａを有し、これらにより補強リブ１１が一体に形成されている。また、補強リブ１１の口型形状の上方の角部近傍には、補強リブ１１をさらに強固に補強する、補強リブ１１と一体であると共に縦内壁面１０とも一体に形成された、ボス部１２が形成されている。なお、このボス部１２は、縦内壁面１０から突設して設けられていて、縦内壁面１０と補強リブ１１とが一体に形成されているものである。また、ボス部１２の外郭形状は、全体が円柱型に形成され、その中央部には、軸線方向に貫通された取付孔１２Ａが形成されていて、換言すれば、筒状のドーナッツ型となっている。この取付孔１２Ａは、テレビジョン受像機１内に設けられる部品や装置などを取り付けるためにも用いられるもので、取付孔１２Ａにネジなどをねじ込むことにより、後述する操作ボタンなどの部品や装置などを取り付けることができる取付構造となるもので、その一方で、取付孔１２Ａの形成されたボス部１２は、補強リブ１１と一体に形成されることで、この補強リブ１１をさらに強固に補強する補強構造としての機能も有している。なお、ボス部１２は、補強リブ１１と一体に形成されている連結されている部位において、その補強リブ１１の連結されている部位の幅よりボス部１２の幅が大きく形成されている。また、補強リブ１１とボス部１２の上方のフロントキャビネット２には、テレビジョン受像機１を構成する部品や装置の内では相対的に重量の重い、例えば、陰極線管や液晶表示装置などの画像表示装置５が、キャビネットに取り付けられているもので、画像表示装置５のような重量物の重量がフロントキャビネット２にかかり、フロントキャビネット２を撓ませようとする力を、補強リブ１１とボス部１２で支持し、フロントキャビネット２が歪むことを防止できるようになっている。
【００２２】
図６に示す２０は、テレビジョン受像機１の各種操作を可能とする後述するボス部１２の取付孔１２Ａに取り付けられる操作ボタンであり、この操作ボタン２０は、図４に示すようにフロントキャビネット２の下方であると共に、フロントキャビネット２の前面部などの表面に貫通して形成された開口部３１に操作ボタン２０の一端が挿通されていて、テレビジョン受像機１の使用者が画像表示装置５に画像を表示した状態で、その画像をみながら容易に操作が行える位置に形成されている。
【００２３】
ここで、操作ボタン２０についてさらに説明すると、図３及び図４に示すように、テレビジョン受像機１の部品たる操作ボタン２０は、フロントキャビネット２の縦内壁面１０に一体に形成されたボス部１２の取付孔１２Ａにネジ３０などの取付手段により取り付けられる。そして、このような取り付け状態において、上述したように、操作ボタン２０の一端が、フロントキャビネット２に形成されている開口部から外方に臨む位置に挿通され配置されているから、テレビジョン受像機１の外部から操作ボタン２０の操作を行うことが可能となっている。
【００２４】
以上のように、本実施例における補強兼取付構造を備えたテレビジョン受像機１に係る上記構成によれば、取付孔１２Ａの形成されたボス部１２は、テレビジョン受像機１のフロントキャビネット２の補強構造としての機能を有する一方で、テレビジョン受像機１内に新たに操作ボタン２０などの部品や装置などを取り付けるための取付構造としての機能をも備えている。従って、ボス部１２を補強構造及び取付構造として兼用可能となるので、既存のテレビジョン受像機に、新たに改良を加える必要が生じた際に、テレビジョン受像機の縦内壁面１０に部品や装置を後付けすることができるので、汎用性に優れたテレビジョン受像機１を消費者に提供することができる。また、テレビジョン受像機１の外形を形成するキャビネットたるフロントキャビネット２の平面状の立設した縦内壁面１０に一体に形成される凸状の補強リブ１１を備えたテレビジョン受像機１において、補強リブ１１と一体に縦内壁面１０から突設されると共に補強リブ１１を補強する円柱型のボス部１２を形成し、このボス部１２にテレビジョン受像機１に設けられる操作ボタン６などの部品を取り付け可能に取付孔１２Ａを形成し、操作ボタン６をキャビネットに取り付けない時は、ボス部１２及び補強リブ１１をキャビネットの補強構造とし、操作ボタン２０をキャビネットに取り付ける時は、ボス部１２を操作ボタン２０を取り付けるための取付構造としている。これにより、キャビネットの縦内壁面１０に補強リブ１１とこれをさらに補強する円柱型のボス部１２を設けたので、例えば、テレビジョン受像機１の自動車による搬送時、或いは、テレビジョン受像機１を誤って地面に落下させた際に、キャビネットが撓んで、破損したり歪むことを防止することができる。一方、テレビジョン受像機１内に、新たに操作ボタン２０などの部品や装置などを取り付ける必要が生じた際には、補強リブをさらに補強するために形成されているボス部１２に取付孔１２Ａを形成しているから、この取付孔１２Ａに、ネジなどの取付手段により取り付けたり、あるいは、取付孔１２Ａに操作ボタン２０などの部品の突設部などを係止若しくは嵌合するなどして、このような部品を取り付けることができるので、テレビジョン受像機１に新たに部品などを、後々取り付ける必要が生じても、キャビネットの縦内壁面１０に形成されたボス部１２の取付孔１２Ａに、部品を取り付けることができる。さらに、同様の目的で新たにキャビネットの縦内壁面１０に部品を取り付ける必要が生じた際、従来の方法のように、キャビネットの縦内壁面に新たにボス部などの取付手段を一体に成形されたキャビネットを新たに成形するなどして用意しなくても、取付孔１２Ａの形成されたボス部１２を、操作ボタン２０などの部品を取り付けるために用いられる取付構造として用いることができるので、汎用性に優れた補強兼取付構造を備えたテレビジョン受像機１を提供することができる。さらに、本実施例においては、部品を、ボス部１２の取付孔１２Ａに取り付けられると共にキャビネットであるフロントキャビネット２に形成された開口部３１に一端が挿通されたテレビジョン受像機１の各種操作を可能とする操作ボタン２０としたので、テレビジョン受像機１に新たに操作ボタン２０を取り付けることが必要となった際、この操作ボタン２０をキャビネットの縦内壁面１０に形成されたボス部１２の取付孔１２Ａに対し、係合したり、或いは、ネジ３０などの取付手段を取付孔にねじ込むなどして、この取付孔１２Ａに対して操作ボタン２０を取り付けることができ、さらに、この操作ボタン２０は、キャビネットに形成された開口部３１に一端が挿通されているので、テレビジョン受像機の使用者は、テレビジョン受像機の操作を、外方から容易に行うことができる。なお、前記操作ボタン２０の一端とは、前記操作ボタン２０の全体の内の一部であり、本実施例においては、図１に示す開口部３１の各々からテレビジョン受像機１の内方から外方に向かって挿通されテレビジョン受像機１の外方に臨む操作ボタン２０の複数の部位を差すものである。また、操作ボタン２０は、ボス部１２に形成された取付孔１２Ａに、汎用性のある取り付けの容易なネジ３０をねじ込んで取り付けることにより、取付作業を短時間で効率的に行うことができる。さらに、キャビネットは、フロントキャビネット２とリアキャビネット３からなり、フロントキャビネット２に、画像表示装置５を設け、ボス部１２と補強リブ１１とをフロントキャビネット２に一体に形成している。なお、画像表示装置５は、テレビジョン受像機を構成する部品や装置の内、主要な装置であると共に、他の部品や装置と比べ相対的に比較的重量の重いものである。このような重量の重い画像表示装置５をフロントキャビネット２に取り付けて設けられている状態では、フロントキャビネット２に対し、画像表示装置５の重さが大きな荷重として加わる。この場合、フロントキャビネット２の縦内壁面１０に一般的な補強リブ１１に加え、さらに、この補強リブ１１を補強するボス部１２を形成していることから、フロントキャビネット２に画像表示装置５を設けた際に生じる、荷重に伴うフロントキャビネットの歪みを軽減することができる。なお、本実施例においては、ボス部１２の取付孔１２Ａに取り付けられる部品として、操作ボタン２０を用いているが、このような操作ボタン２０に特に限定するものではなく、例えば、固定磁気ディスク装置（ｈａｒｄ  ｄｉｓｋ  ｄｒｉｖｅ）などの装置を操作ボタン２０に代えて、ボス部１２の取付孔１２Ａに取り付けて適用することも可能である。
【図面の簡単な説明】
【００２５】
【図１】本実施例におけるテレビジョン受像機の正面図である。
【図２】同上、テレビジョン受像機のフロントキャビネットの要部拡大斜視図である。
【図３】同上、テレビジョン受像機のフロントキャビネットの拡大背面図である。
【図４】同上、ボス部に操作ボタンを取り付けた状態を示すフロントキャビネットの要部拡大背面図である。
【図５】同上、ボス部に操作ボタンを取り付けた状態を示すフロントキャビネットの要部拡大断面図である。
【図６】同上、操作ボタンの正面図である。
【図７】同上、操作ボタンの背面図である。
【図８】従来例から用いられているテレビジョン受像機のフロントキャビネットの背面図である。
【符号の説明】
【００２６】
１  テレビジョン受像機
２  フロントキャビネット（キャビネット）
３  リアキャビネット（キャビネット）
１０  縦内壁面
１１  補強リブ
１２  ボス部
１２Ａ  取付孔
２０  操作ボタン（部品）
３０  ネジ
３１  開口部
【図１】
2005268868.tif 000003
【図２】
2005268868.tif 000004
【図３】
2005268868.tif 000005
【図４】
2005268868.tif 000006
【図５】
2005268868.tif 000007
【図６】
2005268868.tif 000008
【図７】
2005268868.tif 000009
【図８】
2005268868.tif 000010